(57)【要約】スマートブレスレットであって、保護ハウジングと、フレキシブル機能モジュールと、制御モジュールと、電池と、を含み、保護ハウジングは、可撓性材料を採用し、保護ハウジングは、互いに接続される、湾曲部と、非湾曲部と、を含み、フレキシブル機能モジュールは、湾曲部に設けられ、制御モジュールは、機能モジュールに電気的に接続され、制御モジュールは、非湾曲部に設けられ、電池は、制御モジュールに電気的に接続され、電池は、非湾曲部に設けられる。本発明によるスマートブレスレットは、ユーザの手首を貼り合せることができる。【選択図】図１
2019523067.tif 000002
【特許請求の範囲】
【請求項１】
スマートブレスレットであって、
保護ハウジングと、フレキシブル機能モジュールと、制御モジュールと、電池と、を含み、
前記保護ハウジングは、可撓性材料を採用し、
前記保護ハウジングは、互いに接続される、湾曲部と、非湾曲部と、を含み、
前記フレキシブル機能モジュールは、前記湾曲部に設けられ、
前記制御モジュールは、前記機能モジュールに電気的に接続され、
前記制御モジュールは、前記非湾曲部に設けられ、
前記電池は、前記制御モジュールに電気的に接続され、
前記電池は、前記非湾曲部に設けられることを特徴とする、スマートブレスレット。
【請求項２】
前記保護ハウジングは、一体成形されており、
前記機能モジュール、前記制御モジュール及び前記電池は、前記保護ハウジング内に封止されることを特徴とする、請求項１に記載のスマートブレスレット。
【請求項３】
前記保護ハウジングは、シリコーン材料を採用することを特徴とする、請求項１に記載のスマートブレスレット。
【請求項４】
前記機能モジュールは、第１フレキシブル回路基板と、複数の第１発光ダイオードと、を含み、
前記複数の第１発光ダイオードは、前記第１フレキシブル回路基板に配列され、
前記第１フレキシブル回路基板は、前記制御モジュールに電気的に接続されることを特徴とする、請求項１に記載のスマートブレスレット。
【請求項５】
前記保護ハウジングは、棒状を呈し、且つ第１方向に沿って延び、
前記第１フレキシブル基板は、棒状を呈し、前記第１方向と平行な方向に沿って延びることを特徴とする、請求項４に記載のスマートブレスレット。
【請求項６】
前記機能モジュールは、第２フレキシブル回路基板と、複数の第２発光ダイオードと、をさらに含み、
前記複数の第２発光ダイオードは、前記第２フレキシブル回路基板に配列され、
前記第２フレキシブル回路基板は、前記制御モジュールに電気的に接続され、
前記第２フレキシブル回路基板と、前記第１フレキシブル回路基板とは、間隔で配列されることを特徴とする、請求項５に記載のスマートブレスレット。
【請求項７】
前記制御モジュールは、制御板と、前記制御板に形成されるコントローラと、を含み、
前記コントローラは、前記機能モジュールに電気的に接続されることを特徴とする、請求項１〜６のいずれか１項に記載のスマートブレスレット。
【請求項８】
前記制御モジュールは、前記制御板に形成されるスイッチをさらに含み、
前記スイッチは、前記スマートブレスレットの電源オン又は電源オフを制御するように構成されていることを特徴とする、請求項７に記載のスマートブレスレット。
【請求項９】
前記制御板は、対向する、第１表面及び第２表面を含み、
前記コントローラは、前記第１表面に設けられ、
前記スイッチは、前記第２表面に設けられることを特徴とする、請求項８に記載のスマートブレスレット。
【請求項１０】
前記保護ハウジングは、開口が設けられ、
前記制御板に、インターフェースが設けられ、
前記開口が、前記インターフェースに正対することを特徴とする、請求項７に記載のスマートブレスレット。
【請求項１１】
前記スマートブレスレットは、フレキシブルタッチパネルをさらに含み、
前記タッチパネルは、前記湾曲部に設けられ、
前記タッチパネルは、前記制御モジュールに電気的に接続されることを特徴とする、請求項４に記載のスマートブレスレット。
【請求項１２】
前記第１フレキシブル回路基板は、前記タッチパネルに隣接されることを特徴とする、請求項１１に記載のスマートブレスレット。
【請求項１３】
前記第１フレキシブル回路基板は、前記タッチパネルと部分的に重なることを特徴とする、請求項１２に記載のスマートブレスレット。
【請求項１４】
前記スマートブレスレットは、第３フレキシブル回路基板をさらに含み、
前記第３フレキシブル回路基板は、前記保護ハウジングによりパッケージングされ、前記機能モジュール及び前記制御モジュールに接続されるように構成されていることを特徴とする、請求項１〜６のいずれか１項に記載のスマートブレスレット。
【請求項１５】
前記電池及び前記制御モジュールは、前記機能モジュールの対向する両側にそれぞれ位置することを特徴とする、請求項１〜６のいずれか１項に記載のスマートブレスレット。
【請求項１６】
前記電池は、前記機能モジュールと前記制御モジュールとの間に位置することを特徴とする、請求項１〜６のいずれか１項に記載のスマートブレスレット。
【請求項１７】
前記第３フレキシブル回路基板は、下方に向かって前記電池の底部をバイパスして、前記制御モジュールに接続されることを特徴とする、請求項１４に記載のスマートブレスレット。
【請求項１８】
前記電池は、ワイヤにより前記制御モジュールに電気的に接続され、
前記ワイヤは、前記第１フレキシブル回路基板と平行であり、
前記ワイヤの長さは、前記第１フレキシブル回路基板の長さよりも長いことを特徴とする、請求項４に記載のスマートブレスレット。
【請求項１９】
前記保護ハウジングは、過渡部をさらに含み、
前記過渡部は、前記湾曲部と前記非湾曲部との間に接続され、前記湾曲部の外表面及び前記非湾曲部の外表面に円滑に接続されるように構成されていることを特徴とする、請求項１〜６のいずれか１項に記載のスマートブレスレット。
【請求項２０】
前記スマートブレスレットは、２つの磁石をさらに含み、
前記２つの磁石は、前記保護ハウジングの対向する両端にそれぞれ設けられ、
前記２つの磁石は、前記スマートブレスレットが湾曲した時に互いに引き合うように構成されていることを特徴とする、請求項１〜６のいずれか１項に記載のスマートブレスレット。
【発明の詳細な説明】
【技術分野】
【０００１】
本発明はスマートウェアラブル装置の技術分野に関し、特にスマートブレスレットに関する。
【背景技術】
【０００２】
スマートブレスレットはウェアラブルスマートデバイスであり、現在、ユーザに注目されている技術製品としている。強力な機能を有するスマートブレスレットは、人々の生活に静かに浸透し、変化を与えている。
【０００３】
現在のスマートブレスレットは、形状が通常に固定され、曲げることができないため、異なる厚さの手首に適合せず、適用範囲に影響を及ぶことをもたらす。
【発明の概要】
【０００４】
本発明が解決しようとする技術的課題は、ユーザの手首を貼り合せることができるスマートブレスレットを提供することにある。
【０００５】
上述した目的を実現するために、本発明の実施形態は、以下の技術案を採用する。
【０００６】
本発明の実施形態によるスマートブレスレットは、保護ハウジングと、フレキシブル機能モジュールと、制御モジュールと、電池と、を含み、前記保護ハウジングは、可撓性材料を採用し、前記保護ハウジングは、互いに接続される、湾曲部と、非湾曲部と、を含み、前記フレキシブル機能モジュールは、前記湾曲部に設けられ、前記制御モジュールは、前記機能モジュールに電気的に接続され、前記制御モジュールは、前記非湾曲部に設けられ、前記電池は、前記制御モジュールに電気的に接続され、前記電池は、前記非湾曲部に設けられる。
【０００７】
従来技術と比較して、本発明は、以下の有利な効果を有する。
【０００８】
前記機能モジュールは、前記湾曲部に設けられ、前記制御モジュール及び前記電池が、前記非湾曲部に設けられ、前記制御モジュール及び前記電池のサイズが比較的に小さいため、前記非湾曲部が前記スマートブレスレットに占める空間の割合は、前記湾曲部が前記スマートブレスレットに占める空間の割合よりもかなり小さいことにより、前記スマートブレスレットの湾曲可能な部分を増加させる。よって、前記スマートブレスレットは、使用中によく湾曲されてユーザの手首を貼り合せ、ユーザの体験感を改善することができる。
【０００９】
本発明の実施形態の技術的手段をより明確に説明するために、実施形態の説明で使用される添付図面を簡単に説明する。明らかに、以下に記載する添付の図面は、本発明のいくつかの実施形態のためのものに過ぎず、当業者は、創造的な努力なしにこれらの添付図面に従って他の添付図面を得ることができる。
【図面の簡単な説明】
【００１０】
【図１】図１は、本発明の実施形態によるスマートブレスレットの構造概略図である。
【図２】図２は、本発明の実施形態によるスマートブレスレットの保護ハウジングの構造概略図である。
【図３】図３は、本発明の実施形態によるスマートブレスレットの一部の素子の構造概略図である。
【図４】図４は、図３の素子の分解図である。
【図５】図５は、図３のＡ部分の構造の拡大図である。
【図６】図６は、本発明の実施形態による別のスマートブレスレットの一部の素子の構造概略図である。
【図７】図７は、本発明の実施形態による別のスマートブレスレットの保護ハウジングの構造概略図である。
【図８】図８は、本発明の実施形態によるスマートブレスレットの別の構造概略図である。
【図９】図９は、本発明の実施形態によるスマートブレスレットの立体概略図である。
【発明を実施するための形態】
【００１１】
以下に、本発明の実施形態の添付の図面を参照しながら、本発明の実施形態の技術的手段を、明確かつ完全に説明する。明らかに、説明される実施形態は、本発明の一部の実施形態だけのものであり、全ての実施形態ではない。本明細書に説明される実施形態から創造的な努力なしに当業者が得ることができるすべての別の実施形態は、本発明の範囲に入るものとする。
【００１２】
図１〜図３を参照すると、本発明の実施形態によるスマートブレスレット１００は、保護ハウジング１と、フレキシブル機能モジュール２と、制御モジュール３と、電池４と、を含む。前記保護ハウジング１は、可撓性材料を採用する。前記保護ハウジング１は、互いに接続される、湾曲部１１と、非湾曲部１２と、を含む。前記機能モジュール２は、前記湾曲部１１に設けられ、前記機能モジュール２は、前記湾曲部１１と共に随意に湾曲または平に展開することができる。前記制御モジュール３は、前記機能モジュール２に電気的に接続される。前記制御モジュール３は、前記非湾曲部１２に設けられる。前記電池４は、前記制御モジュール３に電気的に接続される。前記電池４は、前記非湾曲部１２に設けられる。前記制御モジュール３及び前記電池４は、硬質材料を採用するため、前記非湾曲部１２が湾曲することができない。
【００１３】
本実施形態において、前記機能モジュール２は、前記湾曲部１１に設けられ、前記制御モジュール３及び前記電池４が、前記非湾曲部１２に設けられ、前記制御モジュール３及び前記電池４のサイズが比較的に小さいため、前記非湾曲部１２が前記スマートブレスレット１００に占める空間の割合は、前記湾曲部１１が前記スマートブレスレット１００に占める空間の割合よりもかなり小さいことにより、前記スマートブレスレット１００の湾曲可能な部分を増加させる。よって、前記スマートブレスレット１００は、使用中によく湾曲されてユーザの手首を貼り合せ、ユーザの体験感を改善することができる。
【００１４】
好ましくは、前記保護ハウジング１は、一体成形されている。前記機能モジュール２、前記制御モジュール３及び前記電池４は、前記保護ハウジング１内に封止される。前記保護ハウジング１は、前記機能モジュール２、前記制御モジュール３および前記電池４をパッケージングするように一体成形するため、前記保護ハウジング１は、上述した素子を完全に封止することにより、より優れた防水効果を奏する。前記機能モジュール２、前記制御モジュール３及び前記電池４の各面が保護ハウジング１に密着しているので、隙間が存在しないことにより、封止効果が最適となると理解されるべきである。
【００１５】
好ましくは、前記保護ハウジング１は、シリコーン材料を採用する。言うまでもなく、他の実施形態において、前記保護ハウジング１は、他の封止可能な可撓性材料を採用することができる。
【００１６】
また、図１〜図４を参照すると、１つの実施形態として、前記機能モジュール２は、第１フレキシブル回路基板２１と、第２フレキシブル回路基板２２と、複数の第１発光ダイオード（Ｌｉｇｈｔ  Ｅｍｉｔｔｉｎｇ  Ｄｉｏｄｅ，ＬＥＤ）２３と、複数の第２発光ダイオード（Ｌｉｇｈｔ  Ｅｍｉｔｔｉｎｇ  Ｄｉｏｄｅ，ＬＥＤ）２４とを含む。前記複数の第１発光ダイオード２３は、前記第１フレキシブル回路基板２１に配列され、前記第１フレキシブル回路基板２１に電気的に接続される。前記複数の第２発光ダイオード２４は、前記第２フレキシブル回路基板２２に配列され、前記第２フレキシブル回路基板２２に電気的に接続される。前記第１フレキシブル回路基板２１と前記第２フレキシブル回路基板２２とは、前記制御モジュール３に電気的に接続される。
【００１７】
本実施形態において、前記第１フレキシブル回路基板２１及び前記第２フレキシブル回路基板２２は、可撓性材料を採用し、前記複数の第１発光ダイオード２３及び前記複数の第２発光ダイオード２４は、体積が小さいため、前記機能モジュール２は、フレキシブルで湾曲可能である。
【００１８】
好ましくは、前記機能モジュール２は、異なる数または異なる組み合わせの発光ダイオード（前記第１発光ダイオード２３又は／及び前記第２発光ダイオード２４）を点灯することを介して異なる情報を表示することができる。例えば、前記スマートブレスレット１００は、着用者の運動状況を表示することができる。例えば、１０００メートル移動した後、１つの発光ダイオードを点灯し、２０００メートル移動した後、２つの発光ダイオードを点灯し、または５００歩走った後、１つの発光ダイオードを点灯し、１０００歩走った後、２つの発光ダイオードを点灯するなどである。
【００１９】
好ましくは、前記第１フレキシブル回路基板２１及び前記第２フレキシブル回路基板２２は、棒状を呈する。
【００２０】
好ましくは、前記複数の第１発光ダイオード２３は、前記第１フレキシブル基板２１の延伸方向に等間隔に配列される。前記複数の第２発光ダイオード２４は、前記第２フレキシブル基板２２の延伸方向に等間隔に配列される。
【００２１】
好ましくは、前記保護ハウジング１は、棒状を呈し、第１方向に沿って延びる。前記第１フレキシブル基板２１は、前記第１方向と実質的に平行な方向に沿って延びる。前記第２フレキシブル回路基板２２と、前記第１フレキシブル回路基板２１とは、間隔で配列される。前記第２フレキシブル回路基板２２は、前記第１フレキシブル回路基板２１と実質的に平行であり得る。
【００２２】
さらに、図１〜図５を参照すると、１つの実施形態として、前記制御モジュール３は、制御板３１と、前記制御板３１に形成されるコントローラ３２と、検知アセンブリ３３と、インターフェース３４とを含む。前記コントローラ３２は、前記機能モジュール２、前記検知アセンブリ３３及び前記インターフェース３４に電気的に接続される。
【００２３】
本実施形態において、ユーザが前記スマートブレスレット１００を着用する時、前記検知アセンブリ３３は、ユーザの様々な運動状態を検出し、対応するデータをコントローラ３２に送信するように構成されている。前記コントローラ３２は、前記データに応じて前記機能モジュール２により表示される情報を制御する。
【００２４】
好ましくは、前記検知アセンブリ３３は、グローバルポジションシステム（ＧＰＳ）、距離センサ、角度センサ、重力センサ、角速度センサ、速度センサ、加速度センサ、および温度センサのうちの１つまたは複数を含む。
【００２５】
好ましくは、前記制御モジュール３は、さらに前記制御板３１に形成されるスイッチ３５を含む。前記スイッチ３５は、前記スマートブレスレット１００の電源オン又は電源オフを制御するように構成されている。前記保護ハウジング１は、可撓性材料を採用して、より優れた可撓性を有するため、ユーザが前記スイッチ３５に対応する前記保護ハウジング１の領域で前記スイッチ３５を押すことができる。
【００２６】
前記制御板３１は、プリント回路基板（Ｐｒｉｎｔｅｄ  ｃｉｒｃｕｉｔ  ｂｏａｒｄ，ＰＣＢ）である。前記制御板３１は、対向する、第１表面及び第２表面を含む。前記コントローラ３２、前記検知アセンブリ３３及び前記インターフェース３４は、前記第１表面に設けられる。前記スイッチ３５は、第２表面に設けられる。
【００２７】
好ましくは、前記保護ハウジング１は、開口１３が設けられ、前記開口１３が、前記インターフェース３４に正対する。前記開口１３は、前記保護ハウジング１の外部まで前記インターフェース３４と連通する。ユーザは、前記インターフェース３４を介して前記電池４を充電し、前記インターフェース３４を介して前記コントローラ３２との通信を実現することができる。
【００２８】
好ましくは、前記インターフェース３４は、前記非湾曲部１２の端部または側部に位置することにより、前記インターフェース３４に正対する前記開口１３の深さがより小さくなり、前記インターフェース３４が外部との電気的な接続をより容易に実現することができる。
【００２９】
さらに、１つの実施形態として、前記スマートブレスレット１００は、フレキシブルタッチパネル８をさらに含む。前記タッチパネル８は、前記湾曲部１１に設けられる。前記タッチパネル８は、前記湾曲部１１と共に随意に湾曲または平に展開することができる。前記タッチパネル８は、前記制御モジュール３に電気的に接続される。前記タッチパネル８は、ユーザのタッチ情報を受信し、タッチ情報を前記制御モジュール３に送信するように構成されている。前記制御モジュール３は、前記タッチ情報に応じて、前記スマートブレスレット１００を制御する。
【００３０】
例えば、前記タッチパネル８において対応するジェスチャーを行うことにより、前記スマートブレスレット１００の動作モードが切り替えられ得る。例えば、ランニング測定モードからクライミング測定モードまたはスイミング測定モードなどに切り替える。言うまでもなく、前記タッチパネル８も前記スマートブレスレット１００の復帰などを制御するように構成され得る。
【００３１】
好ましくは、前記タッチパネル８は、前記保護ハウジング１内に封止される。
【００３２】
前記機能モジュール２は、ユーザに望ましい機能を提供できる限り、前記第１発光ダイオード２３及び／又は前記第２発光ダイオード２４のみを含んでもよく、前記タッチパネル８のみを含んでもよく、または、さらにＯＬＥＤ（Ｏｒｇａｎｉｃ  Ｌｉｇｈｔ−Ｅｍｉｔｔｉｎｇ  Ｄｉｏｄｅ，有機発光ダイオード）フレキシブルディスプレイスクリ-ンなどを含んでもよいと理解されるべきである。
【００３３】
好ましくは、前記スマートブレスレット１００は、通信モジュールをさらに含み、前記通信モジュールは、前記コントローラ３２に電気的に接続され、信号を送信するように構成されている。ユーザは、前記通信モジュールにより、前記検知アセンブリ３３によって取得されたデータまたは前記タッチパネル８のタッチ情報をリアルタイムで他の端末に送信する。前記端末は、携帯電話、スマートバックパック、スマートテーブルランプ、家電機器などを含むが、これに限定されない。例えば、前記タッチパネル８でタッチ操作を行うことにより、テーブルランプの明るさ及び携帯電話の音量などを制御することができる。
【００３４】
好ましくは、前記第１フレキシブル回路基板２１及び前記第２フレキシブル回路基板２２は、前記タッチパネル８の両側にそれぞれに位置する。
【００３５】
好ましくは、前記第１フレキシブル回路基板２１は、前記タッチパネル８に隣接される。例えば、前記タッチパネル８は長方形を呈する。前記第１フレキシブル回路基板２１及び前記第２フレキシブル回路基板２２は、前記タッチパネル８の２つの長辺にそれぞれ隣接される。
【００３６】
前記第１フレキシブル回路基板２１は、前記タッチパネル８と部分的に重なることができる。
【００３７】
また、図３〜図５を参照すると、１つの実施形態として、前記スマートブレスレット１００は、第３フレキシブル回路基板５をさらに含む。前記第３フレキシブル回路基板５は、前記保護ハウジング１によりパッケージングされ、前記機能モジュール２及び前記制御モジュール３に接続されるように構成されている。前記第３フレキシブル回路基板５も、前記タッチパネル８及び前記制御モジュール３に接続され得る。
【００３８】
好ましくは、前記電池４は、ワイヤ６により前記制御モジュール３に接続される。前記ワイヤ６は、前記第１フレキシブル回路基板２１と平行である。且つ、前記ワイヤ６の長さは、前記第１フレキシブル回路基板２１の長さより長い。
【００３９】
図１〜図５を参照すると、本発明の実施形態による前記スマートブレスレット１００の前記電池４及び前記制御モジュール３は、前記機能モジュール２の対向する両側にそれぞれ位置する。前記ワイヤ６は、前記機能モジュール２をバイパスして、前記電池４および前記制御板３１に接続される。この時、前記湾曲部１１の両端のそれぞれは、１つの前記非湾曲部１２を形成する。
【００４０】
図６及び図７を参照すると、本発明の実施形態による別のスマートブレスレット１００の前記電池４は、前記機能モジュール２と前記制御モジュール３との間に位置する。前記第３フレキシブル回路基板５は、下方に向かって前記電池４の底部をバイパスして、前記制御モジュール３に接続され、例えば、前記制御板３１に接続され得る。この時、前記湾曲部１１の一端は、１つの前記非湾曲部１２を形成する。
【００４１】
好ましくは、前記保護ハウジング１は、過渡部１４をさらに含む。前記過渡部１４は、前記湾曲部１１と前記非湾曲部１２との間に接続され、前記湾曲部１１の外表面及び前記非湾曲部１２の外表面に円滑に接続されるように構成されている。前記電池４及び前記制御モジュール３の厚さは、前記機能モジュール２及び前記タッチパネル８の厚さよりも大きいため、前記前記非湾曲部１２の厚さが前記湾曲部１１の厚さよりも大きい。前記過渡部１４が設けられることにより、前記スマートリストバンド１００が美観上よくなり、前記保護ハウジング１が突出したエッジ角を有して着用快適性に影響を及ぶのを避けることができる。
【００４２】
前記過渡部１４は、傾斜平面または円弧面を含むことにより、異なる厚さの過渡を実現することができる。
【００４３】
さらに、図８及び図９を参照すると、１つの実施形態として、前記スマートブレスレット１００は２つの磁石７をさらに含む。前記２つの磁石７は、前記保護ハウジング１の両端にそれぞれ設けられる。前記２つの磁石７は、前記スマートブレスレット１００が湾曲した時に互いに引き合うように構成されており、したがって、前記スマートブレスレット１００がユーザの手首から脱落するのを避けることができる。
【００４４】
以上、本発明の実施形態について詳細に説明した。本明細書において、具体的な例を適用して本発明の原理および実施形態に説明を行う。上記の実施形態の説明は、単に本発明の方法および主旨を容易に理解するためのものに過ぎず、当業者にとって、本発明の思想に基づいて、具体的な実施形態および適用範囲において変更することがある。上記のように、本明細書の内容は、本発明を限定するものと理解されるべきではない。
【図１】
2019523067.tif 000003
【図２】
2019523067.tif 000004
【図３】
2019523067.tif 000005
【図４】
2019523067.tif 000006
【図５】
2019523067.tif 000007
【図６】
2019523067.tif 000008
【図７】
2019523067.tif 000009
【図８】
2019523067.tif 000010
【図９】
2019523067.tif 000011
【手続補正書】
【提出日】平成31年1月25日(2019.1.25)
【手続補正１】
【補正対象書類名】明細書
【補正対象項目名】００１０
【補正方法】変更
【補正の内容】
【００１０】
【図１】図１は、本発明の第１実施形態によるスマートブレスレットの構造概略図である。
【図２】図２は、図１のスマートブレスレットの保護ハウジングの構造概略図である。
【図３】図３は、図１のスマートブレスレットの一部の素子の構造概略図である。
【図４】図４は、図３の素子の分解図である。
【図５】図５は、図３のＡ部分の構造の拡大図である。
【図６】図６は、本発明の第２実施形態によるスマートブレスレットの一部の素子の構造概略図である。
【図７】図７は、図６のスマートブレスレットの保護ハウジングの構造概略図である。
【図８】図８は、本発明の第３実施形態によるスマートブレスレットの構造概略図である。
【図９】図９は、図８のスマートブレスレットの立体概略図である。
【手続補正２】
【補正対象書類名】明細書
【補正対象項目名】００１２
【補正方法】変更
【補正の内容】
【００１２】
図１〜図３を参照すると、本発明の実施形態によるスマートブレスレット１００は、保護ハウジング１と、フレキシブル機能モジュール２と、制御モジュール３と、電池４と、を含む。前記保護ハウジング１は、可撓性材料を採用する。前記保護ハウジング１は、互いに接続される、湾曲部１１と、２つの非湾曲部１２と、を含む。前記非湾曲部１２は、前記湾曲部１１の２つの対向する端部に設けられる。前記機能モジュール２は、前記湾曲部１１に設けられ、前記機能モジュール２は、前記湾曲部１１と共に随意に湾曲または平に展開することができる。前記制御モジュール３は、前記機能モジュール２に電気的に接続される。前記制御モジュール３は、一方の前記非湾曲部１２に設けられる。前記電池４は、前記制御モジュール３に電気的に接続される。前記電池４は、他方の前記非湾曲部１２に設けられる。前記制御モジュール３及び前記電池４は、硬質材料を採用するため、前記非湾曲部１２が湾曲することができない。
【手続補正３】
【補正対象書類名】明細書
【補正対象項目名】００２１
【補正方法】変更
【補正の内容】
【００２１】
好ましくは、前記保護ハウジング１は、棒状を呈し、前記保護ハウジング１の長手方向に沿って延びる。前記第１フレキシブル基板２１は、前記長手方向と実質的に平行な方向に沿って延びる。前記第２フレキシブル回路基板２２と、前記第１フレキシブル回路基板２１とは、間隔で配列される。前記第２フレキシブル回路基板２２は、前記第１フレキシブル回路基板２１と実質的に平行である。
【手続補正４】
【補正対象書類名】明細書
【補正対象項目名】００２６
【補正方法】変更
【補正の内容】
【００２６】
前記制御板３１は、プリント回路基板（Ｐｒｉｎｔｅｄ  ｃｉｒｃｕｉｔ  ｂｏａｒｄ，ＰＣＢ）である。前記制御板３１は、対向する、第１表面３１１及び第２表面３１２を含む。前記コントローラ３２、前記検知アセンブリ３３及び前記インターフェース３４は、前記第１表面３１１に設けられる。前記スイッチ３５は、第２表面３１２に設けられる。
【手続補正５】
【補正対象書類名】明細書
【補正対象項目名】００４０
【補正方法】変更
【補正の内容】
【００４０】
図６及び図７を参照すると、本発明の実施形態による別のスマートブレスレット２００の前記電池４は、前記機能モジュール２と前記制御モジュール３との間に位置する。前記第３フレキシブル回路基板５は、下方に向かって前記電池４の底部をバイパスして、前記制御モジュール３に接続され、例えば、前記制御板３１に接続され得る。この時、前記湾曲部１１の一端は、１つの前記非湾曲部１２を形成する。
【手続補正６】
【補正対象書類名】明細書
【補正対象項目名】００４１
【補正方法】変更
【補正の内容】
【００４１】
好ましくは、前記保護ハウジング１０は、過渡部１４をさらに含む。前記過渡部１４は、前記湾曲部１１と前記非湾曲部１２との間に接続される。前記過渡部１４は、過渡表面１４１を含む。前記湾曲部１１は、外表面１１１を含み、前記非湾曲部１２は、外表面１２１を含む。前記過渡部１４の過渡表面１４１は、前記湾曲部１１の前記外表面１１１及び前記非湾曲部１２の前記外表面１２１に円滑に接続されるように構成されている。前記電池４及び前記制御モジュール３の厚さは、前記機能モジュール２及び前記タッチパネル８の厚さよりも大きいため、前記前記非湾曲部１２の厚さが前記湾曲部１１の厚さよりも大きい。前記過渡部１４が設けられることにより、前記スマートリストバンド１００が美観上よくなり、前記保護ハウジング１が突出したエッジ角を有して着用快適性に影響を及ぶのを避けることができる。
【手続補正７】
【補正対象書類名】明細書
【補正対象項目名】００４３
【補正方法】変更
【補正の内容】
【００４３】
さらに、図８及び図９を参照すると、１つの実施形態として、前記スマートブレスレット３００は２つの磁石７をさらに含む。前記２つの磁石７は、前記保護ハウジング１の両端にそれぞれ設けられる。前記２つの磁石７は、前記スマートブレスレット３００が湾曲した時に互いに引き合うように構成されており、したがって、前記スマートブレスレット３００がユーザの手首から脱落するのを避けることができる。
【手続補正８】
【補正対象書類名】特許請求の範囲
【補正対象項目名】全文
【補正方法】変更
【補正の内容】
【特許請求の範囲】
【請求項１】
スマートブレスレットであって、
保護ハウジングと、フレキシブル機能モジュールと、制御モジュールと、電池と、を含み、
前記保護ハウジングは、可撓性材料を採用し、
前記保護ハウジングは、互いに接続される、湾曲部と、非湾曲部と、を含み、
前記フレキシブル機能モジュールは、前記湾曲部に設けられ、
前記制御モジュールは、前記機能モジュールに電気的に接続され、
前記制御モジュールは、前記非湾曲部に設けられ、
前記電池は、前記制御モジュールに電気的に接続され、
前記電池は、前記非湾曲部に設けられることを特徴とする、スマートブレスレット。
【請求項２】
前記保護ハウジングは、一体成形されており、
前記機能モジュール、前記制御モジュール及び前記電池は、前記保護ハウジング内に封止されることを特徴とする、請求項１に記載のスマートブレスレット。
【請求項３】
前記保護ハウジングは、シリコーン材料を採用することを特徴とする、請求項１に記載のスマートブレスレット。
【請求項４】
前記機能モジュールは、第１フレキシブル回路基板と、複数の第１発光ダイオードと、を含み、
前記複数の第１発光ダイオードは、前記第１フレキシブル回路基板に配列され、
前記第１フレキシブル回路基板は、前記制御モジュールに電気的に接続されることを特徴とする、請求項１に記載のスマートブレスレット。
【請求項５】
前記保護ハウジングは、棒状を呈し、且つ前記保護ハウジングの長手方向に沿って延び、
前記第１フレキシブル基板は、棒状を呈し、前記長手方向と平行な方向に沿って延びることを特徴とする、請求項４に記載のスマートブレスレット。
【請求項６】
前記機能モジュールは、第２フレキシブル回路基板と、複数の第２発光ダイオードと、をさらに含み、
前記複数の第２発光ダイオードは、前記第２フレキシブル回路基板に配列され、
前記第２フレキシブル回路基板は、前記制御モジュールに電気的に接続され、
前記第２フレキシブル回路基板と、前記第１フレキシブル回路基板とは、間隔で配列されることを特徴とする、請求項５に記載のスマートブレスレット。
【請求項７】
前記制御モジュールは、制御板と、前記制御板に形成されるコントローラと、を含み、
前記コントローラは、前記機能モジュールに電気的に接続されることを特徴とする、請求項１に記載のスマートブレスレット。
【請求項８】
前記制御モジュールは、前記制御板に形成されるスイッチをさらに含み、
前記スイッチは、前記スマートブレスレットの電源オン又は電源オフを制御するように構成されていることを特徴とする、請求項７に記載のスマートブレスレット。
【請求項９】
前記制御板は、対向する、第１表面及び第２表面を含み、
前記コントローラは、前記第１表面に設けられ、
前記スイッチは、前記第２表面に設けられることを特徴とする、請求項８に記載のスマートブレスレット。
【請求項１０】
前記保護ハウジングは、開口が設けられ、
前記制御板に、インターフェースが設けられ、
前記開口が、前記インターフェースに正対することを特徴とする、請求項７に記載のスマートブレスレット。
【請求項１１】
前記スマートブレスレットは、フレキシブルタッチパネルをさらに含み、
前記タッチパネルは、前記湾曲部に設けられ、
前記タッチパネルは、前記制御モジュールに電気的に接続されることを特徴とする、請求項４に記載のスマートブレスレット。
【請求項１２】
前記第１フレキシブル回路基板は、前記タッチパネルに隣接されることを特徴とする、請求項１１に記載のスマートブレスレット。
【請求項１３】
前記第１フレキシブル回路基板は、前記タッチパネルと部分的に重なることを特徴とする、請求項１２に記載のスマートブレスレット。
【請求項１４】
前記スマートブレスレットは、第３フレキシブル回路基板をさらに含み、
前記第３フレキシブル回路基板は、前記保護ハウジングによりパッケージングされ、前記機能モジュール及び前記制御モジュールに接続されるように構成されていることを特徴とする、請求項１に記載のスマートブレスレット。
【請求項１５】
前記電池及び前記制御モジュールは、前記機能モジュールの対向する両側にそれぞれ位置することを特徴とする、請求項１に記載のスマートブレスレット。
【請求項１６】
前記電池は、前記機能モジュールと前記制御モジュールとの間に位置することを特徴とする、請求項１に記載のスマートブレスレット。
【請求項１７】
前記第３フレキシブル回路基板は、下方に向かって前記電池の底部をバイパスして、前記制御モジュールに接続されることを特徴とする、請求項１４に記載のスマートブレスレット。
【請求項１８】
前記電池は、ワイヤにより前記制御モジュールに電気的に接続され、
前記ワイヤは、前記第１フレキシブル回路基板と平行であり、
前記ワイヤの長さは、前記第１フレキシブル回路基板の長さよりも長いことを特徴とする、請求項４に記載のスマートブレスレット。
【請求項１９】
前記保護ハウジングは、過渡部をさらに含み、
前記過渡部は、前記湾曲部と前記非湾曲部との間に接続され、
前記過渡部は、過渡表面を含み、
前記過渡部の前記過渡表面は、前記湾曲部の外表面及び前記非湾曲部の外表面に円滑に接続されるように構成されていることを特徴とする、請求項１に記載のスマートブレスレット。
【請求項２０】
前記スマートブレスレットは、２つの磁石をさらに含み、
前記２つの磁石は、前記保護ハウジングの対向する両端にそれぞれ設けられ、
前記２つの磁石は、前記スマートブレスレットが湾曲した時に互いに引き合うように構成されていることを特徴とする、請求項１に記載のスマートブレスレット。
【手続補正９】
【補正対象書類名】図面
【補正対象項目名】全図
【補正方法】変更
【補正の内容】
【図１】
2019523067.tif 000012
【図２】
2019523067.tif 000013
【図３】
2019523067.tif 000014
【図４】
2019523067.tif 000015
【図５】
2019523067.tif 000016
【図６】
2019523067.tif 000017
【図７】
2019523067.tif 000018
【図８】
2019523067.tif 000019
【図９】
2019523067.tif 000020
【国際調査報告】
2019523067.tif 000021
2019523067.tif 000022
2019523067.tif 000023
2019523067.tif 000024